(57)【要約】      （修正有）【課題】多様な大きさや形状をなすスマートフォン等の携帯型端末を柔軟に支持することができる観賞補助具を提供する。【解決手段】観賞補助具Ａを、可撓性を有したシート体を主体に構成され、携帯型端末Ｐの外周端縁に巻き付けて装着されるとともに装着状態において内部に観賞空間を形成した筒状をなす補助具本体１を備えたものとし、その補助具本体１が、装着状態において前記携帯型端末Ｐの外周端縁と係わり合う端縁保持部１１と、装着状態において前記画像を観賞する者の顔部が添接し得るように形成した開口端部１２とを備えたものとした。【選択図】図１
0003196624.tif 000002
【実用新案登録請求の範囲】
【請求項１】
携帯型端末におけるディスプレイの前側に外部からの光の侵入が抑制された観賞空間を形成し、その観賞空間を介して前記ディスプレイに表示される画像を観賞するための観賞補助具であって、
可撓性を有したシート体を主体に構成され、前記携帯型端末の外周端縁に巻き付けて装着されるとともに装着状態において内部に前記観賞空間を形成した筒状をなす補助具本体を備えたものであり、
前記補助具本体が、前記装着状態において前記携帯型端末の外周端縁と係わり合う端縁保持部と、前記装着状態において前記画像を観賞する者の顔部が添接し得る開口端部とを備えている観賞補助具。
【請求項２】
前記画像を拡大して観賞するためのレンズ、及び、このレンズを支持するレンズ支持体とを有したゴーグル部材を備えており、このゴーグル部材が前記補助具本体の開口端部に支持されている請求項１記載の観賞補助具。
【請求項３】
前記端縁保持部が、前記携帯型端末の外周端縁が嵌り得る溝状に形成されたものである請求項１又は２記載の観賞補助具。
【請求項４】
前記補助具本体が、前記携帯型端末に装着される前の展開状態において、一方の端部に第一の接着部分が配されており、且つ、他方の端部に第二の接着部分が配されているものであり、
前記第一の接着部分と前記第二の接着部分とを相互に接着することにより、前記装着状態が保持されるように構成されている請求項１、２又は３記載の観賞補助具。
【考案の詳細な説明】
【技術分野】
【０００１】
本考案は、スマートフォンやタブレット型端末等の携帯型端末に取り付けて用いられる観賞補助具に関する。
【背景技術】
【０００２】
従来から、スマートフォンを保持しつつ外部より暗い観賞空間を形成し、当該スマートフォンから映し出された動画等の画像をあたかも映画館に居るような臨場感や没入感をもって観賞することができるようにした箱状のものが考えられている（例えば非特許文献１参照）。
【０００３】
この種のものは、ダンボールを箱状に組み立てることにより、所定の大きさのスマートフォンを保持することができるようになっている。換言すれば、従来のものは、特定の大きさのスマートフォンを保持することはできるが、大きさや形状の異なるその他のスマートフォンを適切に保持することができないものとなっていた。
【０００４】
以上の事情は、スマートフォンに限らず、タブレット型端末等の携帯型端末においても同様である。
【先行技術文献】
【特許文献】
【０００５】
【非特許文献１】”グーグルカードボード”、〔ｏｎｌｉｎｅ〕、〔平成２７年１月８日検索〕、インターネット（ＵＲＬ：ｈｔｔｐ：／／ｗｗｗ．ｇｏｏｇｌｅ．ｃｏｍ／ｇｅｔ／ｃａｒｄｂｏａｒｄ／）
【考案の概要】
【考案が解決しようとする課題】
【０００６】
本考案は、このような課題に着目してなされたものであって、少なくとも、多様な大きさや形状をなすスマートフォン等の携帯型端末を柔軟に支持することができる観賞補助具を提供することにある。
【課題を解決するための手段】
【０００７】
すなわち、本考案は次の構成をなしている。
【０００８】
請求項１に記載の観賞補助具は、携帯型端末におけるディスプレイの前側に外部からの光の侵入が抑制された観賞空間を形成し、その観賞空間を介して前記ディスプレイに表示される画像を観賞するための観賞補助具であって、可撓性を有したシート体を主体に構成され、前記携帯型端末の外周端縁に巻き付けて装着されるとともに装着状態において内部に前記観賞空間を形成した筒状をなす補助具本体を備えたものであり、前記補助具本体が、前記装着状態において前記携帯型端末の外周端縁と係わり合う端縁保持部と、前記装着状態において前記画像を観賞する者の顔部が添接し得る開口端部とを備えているものである。
【０００９】
ここで、「携帯型端末」とは、携帯して使用可能な平板状の形状をなした電子計算機をいう。携帯型端末としては、例えば、スマートフォンやタブレット型端末等を挙げることができる。
【００１０】
また、「画像」とは、動画に限られるものではなく、静止画を含む概念である。
【００１１】
このようなものであれば、補助具本体が可撓性を有したシート体を主体に構成されたものであるため、その補助具本体を多様な大きさや形状をなすスマートフォン等の携帯型端末に巻き付けることにより当該スマートフォンを柔軟に支持することができるものとなる。
【００１２】
請求項２に記載の観賞補助具は、請求項１記載の構成において、前記画像を拡大して観賞するためのレンズ、及び、このレンズを支持するレンズ支持体とを有したゴーグル部材を備えており、このゴーグル部材が前記補助具本体の開口端部に支持されているものである。
【００１３】
このようなものであれば、携帯型端末から映し出された画像をレンズを介して拡大した状態で見ることができるものとなり、画像を観賞する者に一層の臨場感のある画像を視認させ得るものとなる。その結果、画像を観賞する者に対して高い没入感を与え得るものとなる。
【００１４】
請求項３に記載の観賞補助具は、請求項１又は２記載の構成において、前記端縁保持部が、前記携帯型端末の外周端縁が嵌り得る溝状に形成されたものである。
【００１５】
このようなものであれば、携帯型端末を前後動し難い状態で好適に保持し得るものとなる。
【００１６】
請求項４に記載の観賞補助具は、請求項１、２又は３記載の構成において、前記補助具本体が、前記携帯型端末に装着される前の展開状態において、一方の端部に第一の接着部分が配されており、且つ、他方の端部に第二の接着部分が配されているものであり、前記第一の接着部分と前記第二の接着部分とを相互に接着することにより、前記装着状態が保持されるように構成されているものである。
【００１７】
このようなものであれば、第一、第二の接着部分を接着することにより、装着状態を容易に保持することができるものとなる。
【考案の効果】
【００１８】
以上説明したように本考案によれば、少なくとも、補助具本体を多様な大きさや形状をなすスマートフォン等の携帯型端末に巻き付けることにより当該スマートフォンを柔軟に支持することができるものとなる。
【図面の簡単な説明】
【００１９】
【図１】本考案の一実施形態を示す後方からみた斜視図。
【図２】同実施形態における取り付け説明用の斜視図。
【図３】同実施形態における取り付け説明用の斜視図。
【図４】同実施形態における補助具本体の展開図。
【図５】同実施形態におけるゴーグル部材の背面図。
【図６】同実施形態における使用例を説明するための右側面図。
【考案を実施するための形態】
【００２０】
以下、本考案の一実施形態を、図１〜６を参照して説明する。
【００２１】
この観賞補助具Ａは、携帯型端末であるスマートフォンＰにおけるディスプレイＤの前側に外部からの光の侵入が抑制された外部よりも暗い観賞空間ｓｐを形成し、その観賞空間ｓｐを介して前記ディスプレイＤに表示される動画等の画像（図示せず）を好適に観賞することができるようにしたものである。
【００２２】
観賞補助具Ａは、可撓性を有したシート体を主体に構成され、スマートフォンＰの外周端縁ｅに巻き付けて装着されるとともに装着状態（Ｓ）において内部に観賞空間ｓｐを形成した筒状をなす補助具本体１を備えている。さらに、この実施形態では、観賞補助具Ａは、画像を拡大して観賞するためのレンズ２１、及び、このレンズ２１を支持するレンズ支持体２２とを有したゴーグル部材２を備えている。ゴーグル部材２は、補助具本体１の開口端部１２に支持されている。
【００２３】
以下、この観賞補助具Ａを構成する補助具本体１及びゴーグル部材２について詳述する。
【００２４】
補助具本体１は、発泡体により形成されたシート状のものである。ここで、図１ではスマートフォンＰに装着された状態である装着状態（Ｓ）の補助具本体１が示されており、図２及び図４では、スマートフォンＰに装着される前の状態である展開状態（Ｔ）の補助具本体１が示されている。また、図３は、展開状態（Ｔ）から装着状態（Ｓ）に切り換わる過程の補助具本体１が示されている。補助具本体１は、外側に位置する発泡体により作られた外側シート１ａと、内側に位置する発泡体により作られた内側シート１ｂとを積層して作られている。
【００２５】
補助具本体１は、スマートフォンＰに巻き付けて装着された状態である装着状態（Ｓ）においてスマートフォンＰの外周端縁ｅと係わり合う端縁保持部１１と、前記装着状態（Ｓ）において画像を観賞する者Ｈの顔部が添接し得る開口端部１２とを備えている。換言すれば、補助具本体１は、装着状態（Ｓ）において、観賞空間ｓｐの下側に位置する下壁ｗ１と、この下壁ｗ１の左右端部から上方に延設され前記観賞空間ｓｐの左右側に位置する左右の側壁ｗ２と、これら左右の側壁ｗ２の上端部間に設けられ前記観賞空間ｓｐの上側に位置する上壁ｗ３とを備えている。そして、下壁ｗ１、左右の側壁ｗ２、及び、上壁ｗ３の前側の端部に端縁保持部１１が連続して設けられているとともに後側の端部に開口端部１２が設けられている。
【００２６】
端縁保持部１１は、スマートフォンＰの外周端縁ｅが嵌り得る溝状に形成されている。端縁保持部１１には、厚み方向に連通する複数のスリットｓｌが形成されている。これらスリットｓｌからスマートフォンＰに装着されたイヤホンのケーブルｃを外部に出せるようになっている。
【００２７】
開口端部１２は、画像を観賞する者Ｈの顔部が添接し得る背面視環状の部位であり当該顔部が接することにより、観賞空間ｓｐへの光の侵入が抑制され得るようになっている。装着状態（Ｓ）における開口端部１２は、平面視において顔部に対応した凹陥状をなしている。開口端部１２は、左右に対をなして後方に向かって突設された横覆い部分１２２と、これら対をなす横覆い部分１２２間に形成された２本のスリット１２１と、これら２本のスリット１２１間に形成された山型の切欠部１２３とを備えている。横覆い部分１２２は、左右の側壁ｗ２に設けられたものであり装着状態（Ｓ）において、画像を観賞する者Ｈにおける目の外側方に位置し観賞空間ｓｐへの光の侵入を抑制するようになっている。２本のスリット１２１は、下壁ｗ１に設けられたものであり前後方向に延びてなり補助具本体１にゴーグル部材２を支持させるべく、ゴーグル部材２の本体取付部２２２が係わり合う部位である。切欠部１２３は、下壁ｗ１に設けられたものであり画像を観賞する者Ｈの鼻を避けるためのものである。
【００２８】
補助具本体１は、スマートフォンＰに装着される前の展開状態（Ｔ）において、一方の端部に第一の接着部分たる第一の面ファスナ部材ｓ１が配されており、且つ、他方の端部に第二の接着部分である第二の面ファスナ部材ｓ２が配されている。すなわち、この実施形態では、第一、第二の面ファスナ部材ｓ１、ｓ２を主体にして、着脱が容易な面ファスナを構成している。補助具本体１は、第一の面ファスナ部材ｓ１と第二の面ファスナ部材ｓ２とを相互に接着することにより、装着状態（Ｓ）が保持されるように構成されている。なお、図１〜図４において、第一、第二の面ファスナ部材ｓ１、ｓ２については、把握の便宜のため、網掛け表示している。
【００２９】
この実施形態では第一の面ファスナ部材ｓ１が補助具本体１の内面側に設けられており、第二の面ファスナ部材ｓ２が補助具本体１の外面側に設けられている。第二の面ファスナ部材ｓ２は左右方向に一定の長さを有しており、スマートフォンＰの大きさに応じて第一の面ファスナ部材ｓ１と接着する位置を柔軟に変更できるようになっている。
【００３０】
ゴーグル部材２は、スマートフォンＰの画像を拡大して観賞するためのもので、画像を観賞する者Ｈの両目に対応させて２つの凸型のレンズ２１を有している。なお、図１〜図３、及び、図５において、レンズ２１については、把握の便宜のため、網掛け表示している。レンズ２１を支持しているレンズ支持体２２は、板状の発泡体を２枚積層して作られている。レンズ支持体２２は、レンズ２１の周縁部分を保持するための２つのレンズ保持孔２２１を備えている。レンズ支持体２２は、下側に左右に対をなしてＴ字状に突設された本体取付部２２２を備えている。これら本体取付部２２２が、補助具本体１の開口端部１２に設けられた前後方向に延びるスリット１２１に係わり合うことにより、ゴーグル部材２が補助具本体１に取り付けられるようになっている。レンズ支持体２２は、左右の本体取付部２２２間に、画像を観賞する者Ｈの鼻部分を避けるための山型の切欠部２２３が形成されている。
【００３１】
次いで、この観賞補助具Ａの使用例の一例を説明する。
【００３２】
まず、展開状態（Ｔ）の補助具本体１を用意し、スマートフォンＰの外周端縁ｅにおける下端側の縁を端縁保持部１１に係わり合わせる。補助具本体１にはスマートフォンＰの設置箇所を案内するための目印（図示せず）が設けられており、目印を頼りにして位置決めを行う。次いで、補助具本体１における第二の面ファスナ部材ｓ２が配されている側をスマートフォンＰに巻き付けていき、スマートフォンＰの外周端縁ｅにおける右端側の縁及び上端側の縁に順次端縁保持部１１を係わり合わせる。しかる後に、補助具本体１における第一の面ファスナ部材ｓ１が配されている側をスマートフォンＰに巻き付けていき、スマートフォンＰの外周端縁ｅにおける左端側の縁及び上端側の縁に順次端縁保持部１１を係わり合わせるとともに、第一の面ファスナ部材ｓ１を第二の面ファスナ部材ｓ２に接着する。最後に、ゴーグル部材２を補助具本体１の開口端部１２に装着することにより、観賞補助具Ａが完成する。
【００３３】
以上説明したように、本実施形態に係る観賞補助具Ａは、可撓性を有したシート状の補助具本体１を多様な大きさや形状をなすスマートフォンＰに巻き付けて装着することができるものであり、当該スマートフォンＰを柔軟に支持することができるものとなっている。しかも、補助具本体１は、発泡体により作られているため、一定の強度を保持しつつ柔軟性を有しているため、画像を観賞する者Ｈに対して優れた使用感を与え得るものとなっている。
【００３４】
なお、本考案は、以上に詳述した実施形態に限られるものではない。
【００３５】
例えば、補助具本体は、可撓性を有したシート体を主体に構成されたものであればよい。すなわち、保持具本体は、必ずしも、上述した実施形態で示したような発泡体により構成されたもので無くてもよい。
【００３６】
端縁保持部は、装着状態において携帯型端末の外周端縁と係わり合うものであればよく、上述した実施形態で示したような溝状のものには限られない。
【００３７】
ゴーグル部材は、必ずしも必須の構成ではない。すなわち、補助具本体を主たる構成部材として、観賞補助具を構成してもよい。
【００３８】
第一、第二の接着部分は、面ファスナ部材に限られるものではなく、フックや粘着部材により構成したものであってもよい。
【００３９】
その他、各部の具体的構成についても上記実施形態に限られるものではなく、本考案の趣旨を逸脱しない範囲で種々変形が可能である。
【符号の説明】
【００４０】
Ａ…観賞補助具
１…補助具本体
２…ゴーグル部材
Ｐ…携帯型端末
【図１】
0003196624.tif 000003
【図２】
0003196624.tif 000004
【図３】
0003196624.tif 000005
【図４】
0003196624.tif 000006
【図５】
0003196624.tif 000007
【図６】
0003196624.tif 000008